(57)【要約】【課題】被写体となる人間の視線を先ずカメラ側に向けさせ、然も、被写体となる人間を自然に微笑ませてその豊かな表情を的確に撮影できるようにする。【解決手段】対面撮影に際して用いる映像情報と音声情報とを予め記憶するメモリ装置１６が設けられると共に、対面撮影の状態とされた際に操作し易い部位となる位置にメモリ装置１６に記憶されている情報を読み出して処理する操作スイッチ１１が設けられ、対面撮影に際しては、この操作スイッチ１１が操作されてメモリ装置１６に記憶された被撮影者の興味を喚起する映像情報と音声情報とが読み出されて処理され、メモリ装置１６に記憶されていた映像情報が液晶表示板１０に表示されると共に、メモリ装置１６に記憶されていた音声情報がスピーカ１８によって再生されるため、被写体となる人間の視線を先ずカメラ側に向けさせることができ、然も、自然に微笑ませることができる。【選択図】図１
2006121734.tif 000002
【特許請求の範囲】
【請求項１】
撮像レンズと、
上記撮像レンズで撮影された映像を表示するモニター及びビューファインダーと、
撮影に際して用いる映像情報を予め記憶する記憶手段と
を備える映像撮影記録装置において、
上記モニターは、映像撮影記録装置本体に回動自在に構成されていて、
上記モニターを被写体側に向けた状態で上記記憶手段に記憶された映像情報を上記モニターに映しながら、上記撮像レンズで撮影された映像を上記ビューファインダーに映し出すように構成されたことを特徴とする映像撮影記録装置。
【発明の詳細な説明】
【技術分野】
【０００１】
この発明は、液晶表示板等の小型映像モニターを有した携帯用のカメラ一体型ＶＴＲやディジタルカメラ等に適用され、特に人物の撮影に用いて好適な映像撮影記録装置に関する。
【背景技術】
【０００２】
最近では、電子画像技術の発達と電子回路の集積小型化によって携帯用のカメラ一体型ＶＴＲ（Video Tape Recorder）やディジタルカメラ等が数多く実用化されている。これ
らの映像記録装置は、軽量で機動性が高く、然も、使い勝手を良くする様々な機能が設けられている。
【０００３】
携帯用のカメラ一体型ＶＴＲの使い勝手を良くする機能の一つとして、フレキシブルモニターと称される、回転可能な小型の液晶モニターを設けたものが知られている。このフレキシブルモニターは、カメラ一体型ＶＴＲの本体側に回動自在に取り付けられており、撮影位置や角度に応じて最適な位置となるように回転され、撮影者若しくは被撮影者が液晶モニターで撮影映像を確認できるように構成されている。
【０００４】
また、カメラ部を被撮影者に向ける状態と、撮影者自身に向ける状態とが可能とされた液晶モニター付カメラ一体型記録再生装置を先に提案している（実公平 7-24854公報参照）。この液晶モニター付カメラ一体型記録再生装置は、本体の端部に回動自在に取り付けられたカメラ部と、本体の一側面に配され、少なくともカメラ部からの映像を表示し得る液晶表示素子と、液晶表示素子の垂直方向・水平方向の少なくとも一方向の走査を反転させる手段とを備えたもので、ＶＴＲ再生時及びＴＶ受信時に得られる映像は勿論、カメラ撮影時の場合には、カメラ部を回動させて操作者自身をも被写体として液晶表示素子によってモニターでき、更に必要に応じて画像を反転させて表示できるように構成したものである。
【発明の開示】
【発明が解決しようとする課題】
【０００５】
ところで、上述したように、液晶表示素子、またはカメラ部の向きを変更可能とした構成においても、撮影時では、液晶表示素子には、撮影している映像を表示するものであった。従って、従来の映像記録装置を用いて人物撮影を行う場合には、液晶表示素子により撮影画像を確認しながら、撮影を行っていた。つまり、被写体となる被撮影者に撮影前に声をかけ、カメラ側に視線を向けさせてから撮影がなされる。しかしながら、特に幼い子供等を被写体として撮影する場合などにおいては、簡単にはカメラ側に視線を向けてくれず、また、例え視線をカメラ側に向けさせたとしても微笑んだ時のような豊かな表情をさせることは非常に困難なことであった。
【０００６】
従って、この発明の目的は、被写体となる人間の視線を先ずカメラ側に向けさせることができ、然も、被写体となる人間を自然に微笑ませてその豊かな表情を的確に撮影することができる機能を有した映像撮影記録装置を提供することにある。
【課題を解決するための手段】
【０００７】
以上の課題を解決するために、この発明は、撮像レンズと、
撮像レンズで撮影された映像を表示するモニター及びビューファインダーと、
撮影に際して用いる映像情報を予め記憶する記憶手段と
を備える映像撮影記録装置において、
モニターは、映像撮影記録装置本体に回動自在に構成されていて、
モニターを被写体側に向けた状態で記憶手段に記憶された映像情報をモニターに映しながら、撮像レンズで撮影された映像をビューファインダーに映し出すように構成されたことを特徴とする映像撮影記録装置である。
【０００８】
この発明では、対面撮影に際して用いる映像情報と音声情報とを予め記憶するメモリ装置１６が設けられると共に、対面撮影の状態とされた際に操作し易い部位となる位置にメモリ装置１６に記憶されている情報を読み出して処理する操作スイッチ１１が設けられ、対面撮影に際しては、この操作スイッチ１１が操作されてメモリ装置１６に記憶された被撮影者の興味を喚起する映像情報と音声情報とが読み出されて処理され、メモリ装置１６に記憶されていた映像情報が液晶表示板１０に表示されると共に、メモリ装置１６に記憶されていた音声情報がスピーカ１８によって再生される。
【発明の効果】
【０００９】
この発明では、対面撮影に際して用いる映像情報と音声情報とを予め記憶するメモリ装置１６が設けられると共に、対面撮影の状態とされた際に操作し易い部位となる位置にメモリ装置１６に記憶されている情報を読み出して処理する操作スイッチ１１が設けられる。対面撮影に際しては、この操作スイッチ１１が操作されてメモリ装置１６に記憶された被撮影者の興味を喚起する映像情報と音声情報とが読み出されて処理され、メモリ装置１６に記憶されていた映像情報が液晶表示板１０に表示されると共に、メモリ装置１６に記憶されていた音声情報がスピーカ１８によって再生される。従って、被写体となる人間の視線を先ずカメラ側に向けさせることができ、然も、被写体となる人間を自然に微笑ませてその豊かな表情を的確に撮影することができる。
【発明を実施するための最良の形態】
【００１０】
以下、この発明の第１の実施形態について図１〜図８を用いて説明する。図１は、液晶モニター及びビューファインダー付カメラ一体型ＶＴＲにこの発明を適用した場合の第１の実施形態を示す。また、図２は、この発明の第１の実施形態の内部回路の構成を示し、図３は、この発明の第１の実施形態の使用例を示す。尚、図１、図２及び図３において対応する箇所には、同一の参照符号が付されている。また、図４〜８は、この発明の第１及び第２の実施形態における液晶モニター上に表示される映像ソフトの具体例である。
【００１１】
図１において１で示されるのが映像撮影記録装置の全体を示す。図１及び図２に示すように映像撮影記録装置１は、ＶＴＲ機能が内蔵されたカメラ部２とフレキシブルモニターとして機能する液晶モニター部３とから成り、液晶モニター部３は、カメラ部２から延設される形でヒンジ機構４を介して回動自在に取り付けられている。
【００１２】
従来のカメラ一体型ＶＴＲにおいても、液晶モニター部を設けることは知られている。そして、このフレキシブルモニターを正面に向けて被撮影者と液晶モニターとを対向させた状態として対面撮影を行う場合には、液晶モニターの表示面には、被撮影者の鏡面像が表示され、液晶モニターに映し出される撮影映像を被撮影者が確認しながら撮影がなされる。また、フレキシブルモニターを使用しない場合には、通常、本体側に沿う形で収納された畳んだ状態として撮影を行い、再生の際には、液晶モニターの表示面を外側として収納した状態とし、その場で再生映像を確認することができる。この発明では、後述するように、撮影時にこの液晶モニター部３を被撮影者側に向けると共に、液晶モニター部３に撮影画像と無関係で、被撮影者が喜ぶような映像を表示するものである。
【００１３】
カメラ部２を構成する筐体前面には、撮像レンズ５及び集音マイク６が配設され、また、筐体の側面には、グリップベルト７が取り付けられる。また、カメラ部２を構成する筐体背面の上部には、筐体本体から延設する形でビューファインダー８が設けられており、カメラ部２だけでカメラ一体型ＶＴＲとして機能する。
【００１４】
液晶モニター部３は、薄板状の筐体により構成され、この筐体に４インチ程度の小型の液晶表示板１０が取り付けられている。従って、液晶モニター部３は、カメラ部２にヒンジ機構４を介して回動自在に取り付けられているため、撮影位置や角度に応じて最適な位置となるように回転され、撮影者若しくは被撮影者が液晶表示板１０に映し出された撮影映像を確認できるように自在に調整される。
【００１５】
例えば、図１に示すように液晶モニター部３を正面に向けて被撮影者と液晶モニター部３とを対向させた状態として対面撮影を行う場合には、後述するように液晶モニター部３の回転方向が検出され、液晶モニター部３の液晶表示板１０には、液晶表示板１０の走査方向が上下左右に反転されて被撮影者の鏡面像が表示される。
【００１６】
また、液晶モニター部３の筐体の端部には操作スイッチ１１が配設されている。即ち、図１に示すように液晶モニター部３を正面に向けて被撮影者と液晶モニター部３とを対向させた状態とした場合において、最も操作し易い上側端部となる位置に配設されている。また図３のように、右手でカメラ部２を待ち、左手で釦を押すため液晶モニター部３に左手をそえるようにすることになるが、これはカメラの回転を左手で押さえることになり、カメラを自然ときわめて安定した持ち方で保持することになる。そのため、力の弱い女性でも安定した見やすい映像を撮ることができるというメリットも生ずる。尚、この操作スイッチ１１は、対面撮影を行う場合において操作され、操作スイッチ１１がオンとされると、後述するようにメモリ装置に予め記憶された映像情報が読み出され、各処理がなされる。
【００１７】
以下、この発明の第１の実施形態の内部の構成及び動作について図２を用いて説明する。図２において２で示されるカメラ部は、ＶＴＲ部９、メモリ装置１６、映像出力回路１７、映像信号処理回路２２、映像信号録画／再生回路２３及び映像合成処理回路２５等により構成され、図２において３で示される液晶モニター部は、液晶ドライブ回路３０、液晶表示板１０（図２中ＬＣＤにて示す）及び操作スイッチ１１により構成されている。
【００１８】
また、図２において２７で示されるのがコントロール回路である。コントロール回路２７は、例えば、マイクロコンピュータ等により構成され、映像撮影記録装置１の各部を集中監視して、液晶ドライブ回路１０，メモリ装置１６，映像合成処理回路２５及びスイッチ回路２８等の各部の制御を行うもので、コントロール回路２７には、液晶モニター部３の回転検出スイッチ２９と操作スイッチ１１とが接続されている。
【００１９】
回転検出スイッチ２９は、液晶モニター部３を正面に向けて回転させ被撮影者と液晶モニター部３とが対向する状態において、オンとなるように構成されており、この回転検出スイッチ２９がオンすると、コントロール回路２７において、液晶モニター部３の液晶表示板１０の走査方向を上下左右に反転させる制御信号が形成される。
【００２０】
また、回転検出スイッチ２９がオンした状態で以て、更に、操作スイッチ１１がオンされると、コントロール回路２７において、被撮影者の撮影映像とメモリ装置１６に記憶された映像情報とを合成し、得られた合成画面をビューファインダー８の液晶表示板８２において表示するように制御信号が形成されると共に、コントロール回路２７において、メモリ装置１６に記憶された映像情報により形成された画面が液晶モニター部３の液晶表示板１０において表示するように制御信号が形成される。
【００２１】
カメラ部２の筐体面上に設けられた撮像レンズ５の近傍内部には、ＣＣＤ撮像素子５１（図２中ＣＣＤにて示す）が配設され、このＣＣＤ撮像素子５１により撮影することで得られるＲ，Ｇ，Ｂ出力がアンプ２１を介して映像信号処理回路２２に供給される。映像信号処理回路２２は、例えば、γ補正等の補正処理やレベル調整等の信号処理を行い、映像信号処理回路２２において、映像信号が形成される。この映像信号が映像信号録画／再生回路２３に供給される。
【００２２】
映像信号録画／再生回路２３において、各部の信号処理形態に対応するように必要に応じて信号変換処理が行われ、映像信号録画／再生回路２３の出力が映像合成処理回路２５とスイッチ回路２８の一方の入力端子２８ａとに供給される。また、映像信号録画／再生回路２３において、映像信号に基づいて例えばＹ（輝度）信号及びＣ（色）信号からなるコンポジットの映像信号が形成され、この映像信号が外部出力端子２４を介して取り出されると共に、ＶＴＲ部９に供給され、撮影映像として記録される。
【００２３】
ところで、メモリ装置１６には、予め被撮影者の興味を喚起する映像情報が記憶されている。例えば、この第１の実施形態の場合においては、複数枚の画像からなるアニメーションによって構成される映像情報が記憶されている。メモリ装置１６は、図示せずもコントロール回路２７からの制御信号によってその記憶されている映像情報を読み出し、その映像データを映像出力回路１７に供給する。映像出力回路１７において映像信号が形成され、映像出力回路１７からの出力が映像合成回路２５に供給されると共に、スイッチ回路２８の他方の入力端子２８ｂに供給される。
【００２４】
映像合成回路２５は、コントロール回路２７からの制御信号に基づいて対面撮影が行われる時のみ映像信号録画／再生回路２３からの信号と映像出力回路１７からの信号とを合成処理して合成映像信号を形成する。この映像合成処理回路２５において形成された合成映像信号が液晶ドライブ回路２６に供給される。尚、対面撮影以外の場合には、合成処理がなされず、映像信号録画／再生回路２３からの映像信号がそのまま液晶ドライブ回路２６に供給される。
【００２５】
カメラ部２の筐体面上に設けられたビューファインダー８には、接眼レンズ８１及び小型の液晶表示板８２が配設されており、この液晶表示板８２と液晶ドライブ回路２６とが接続されている。従って、ビューファインダー８の液晶表示板８２には、対面撮影が行われる場合においてのみ被撮影者の撮影映像とメモリ装置１６に記憶された映像情報とを合成して得られる合成画面（図１中１３，１５にて示す）が表示され、対面撮影以外の場合において、液晶表示板８２に被撮影者の撮影映像だけが表示される。
【００２６】
スイッチ回路２８は、コントロール回路２７からの制御信号に基づいて切り替え動作し、その出力を液晶ドライブ回路３０に供給する。即ち、液晶モニター部３が回転されて対面撮影の状態とされ、更に、操作スイッチ１１がオンされるとスイッチ回路２８において入力端子２８ｂ側が選択され、それ以外の状態において入力端子２８ａ側が選択される。
【００２７】
液晶モニター部３の液晶表示板１０には、液晶ドライブ回路３０が接続されており、この液晶ドライブ回路３０には、スイッチ回路２８を介して、映像出力回路１７からの出力若しくは、映像信号録画／再生回路２３からの出力のどちらか一方の信号が供給される。従って、液晶モニター部３の液晶表示板１０には、対面撮影が行われる場合においてのみメモリ装置１６に記憶された映像情報により形成された画面が表示され、対面撮影以外の場合において、液晶表示板１０に被撮影者の撮影映像だけが表示される。
【００２８】
以下、この発明の第１の実施形態の使用方法と表示例について図３、図４、図５及び図６を用いて更に説明する。図３において１２で示されるのが撮影者であり、１４で示されるのが被写体となる被撮影者である。
【００２９】
図３に示すように被撮影者１４に液晶モニター部３の液晶表示板１０が向けられた状態で撮影者１２がビューファインダー８の中の液晶表示板８２の表示画面１３を確認しながら、操作スイッチ１１が押されてオンされると、液晶モニター部３の液晶表示板１０にメモリ装置１６に記憶された被撮影者１４の興味を喚起する図４、図５、図６に示すような映像情報が読み出されて表示されると共に、撮像レンズ５が捉えている被撮影者１４の撮影映像がＶＴＲ部９において記録される。また、この時には、ビューファインダー８の液晶表示板８２の表示画面１３の子画面１５には、液晶モニター部３の液晶表示板１０に表示されている画面と同一の映像情報が表示され、撮影者１２がどのような映像情報を見てどのような表情になっているかがビューファインダー８側から確認できる。
【００３０】
尚、図４Ａ及び図４Ｂは、ヒヨコが卵から孵る様子をアニメーション化した映像情報であり、その代表的な映像を４コマ漫画風にて示す。実際には、複数の簡単な画像を繰り返し使って映像を微妙に揺れ動かすような形で表示され、例えば、徐々に卵からヒヨコが孵る様子の図４Ａに示す一連の画面３１〜３４の映像が液晶モニター部３の液晶表示板１０とビューファインダー８の液晶表示板８２の一部範囲において表示される。また、画面（例えばヒヨコ）の表示色は、特に興味を喚起するようにランダムに変化するように制御されるもので、図４Ａと異なる配色にて図４Ｂの一連の画面３５〜３８の映像が液晶モニター部３の液晶表示板１０とビューファインダー８の液晶表示板８２の一部範囲において表示される。
【００３１】
図５及び図６は、幼い子供をあやす場合の様子を動物のキャラクターを借りてアニメーション化した映像情報であり、その代表的な映像を４コマ漫画風にて示す。例えば、図５は、熊のキャラクターによるもので徐々に熊の顔が現れるような構成とされ、一連の画面３９〜４２の映像が液晶モニター部３の液晶表示板１０とビューファインダー８の液晶表示板８２の一部範囲において表示される。同様に、図６Ａは、象のキャラクターによるもので一連の画面４３〜４６で徐々に象の顔が現れるように構成される。また、図６Ｂは、豚のキャラクターによるもので一連の画面４７〜５０で徐々に豚の顔が現れるように構成される。
【００３２】
尚、この発明の第１の実施形態においては、ＶＴＲ部９において、映像信号録画／再生回路２３からの撮影映像信号を記録する場合について説明したが、ビューファインダー８側に供給する映像合成処理回路２５において形成された合成映像信号をＶＴＲ９で記録するようにしても良い。
【００３３】
また、映像信号録画／再生回路２３から導出された外部出力端子２４には所謂ビデオプリンター等が接続されて用いられ、また、これらの機器を用いることで簡単に撮影映像を写真化することができる。
【００３４】
以下、この発明の第２の実施形態について図７、図８及び図９を用いて説明する。図７は、ビューファインダーを有しない液晶モニター付カメラ一体型ＶＴＲにこの発明を適用した場合の第２の実施形態を示す。また、図８は、この発明の第２の実施形態の内部回路の構成を示し、図９は、この発明の第２の実施形態の使用例を示す。尚、図１〜図９において対応する箇所及び同一の機能を有する部分には、同一の参照符号が付されている。
【００３５】
図７において６１で示されるのが映像撮影記録装置の全体を示す。図７及び図８に示すように映像撮影記録装置６１は、カメラ部２とＶＴＲ機能を内蔵した液晶モニター部３とから成り、ＣＣＤ撮像素子５１（図８中ＣＣＤにて示す）を有したカメラ部２は、液晶モニター部３から延設される形でヒンジ機構４を介して回動自在に取り付けられており、撮影位置や角度に応じて最適な位置となるように回転され、自在に調整される。
【００３６】
カメラ部２を構成する筐体には、撮像レンズ５が配設され、また、筐体の側面には、グリップベルト７が取り付けられる。液晶モニター部３は、箱型状の筐体により構成され、この筐体に４インチ程度の小型の液晶表示板１０が取り付けられている。
【００３７】
例えば、図７に示すようにカメラ部２を回転させて撮影者自身とカメラ部２の撮像レンズ５とを対向させた状態として対面撮影を行う場合には、後述するようにカメラ部２の回転方向が検出され、液晶モニター部３の液晶表示板１０には、液晶表示板１０の走査方向が上下左右に反転されて撮影者自身の鏡面像が表示される。
【００３８】
また、液晶モニター部３の液晶表示板１０が取り付けられる側の筐体の上側周縁部には各種の複数の操作釦２０が配設されと共に、下側周縁部には、一対のスピーカ１８ａ、１８ｂと外部コントロール信号受信部１９とが配設されている。尚、操作釦２０の内の所定の一つの釦は、対面撮影を行う場合において操作され、所定釦がオンされると、後述するようにメモリ装置に予め記憶された映像情報と音声情報とが読み出され、各処理がなされる。
【００３９】
以下、この発明の第２の実施形態の内部の構成及び動作について図８を用いて説明する。図８において２で示されるカメラ部は、映像信号処理回路２２等により構成され、図８において３で示される液晶モニター部は、ＶＴＲ部９、メモリ装置１６、映像／音声出力回路６６、映像信号処理回路２２、映像信号録画／再生回路２３、映像合成処理回路２５、液晶ドライブ回路３０、液晶表示板１０（図８中ＬＣＤにて示す）、ＩＤ信号発生回路６２及びＩＤ信号検出回路６３等により構成されている。
【００４０】
また、図８において２７で示されるのがコントロール回路である。コントロール回路２７は、映像撮影記録装置６１の各部を集中監視して、各部の制御を行うもので、コントロール回路２７には、カメラ部２の回転検出スイッチ２９が接続され、また、外部コントロール信号受信部１９を構成するフォトダイオードが接続されたデコーダ６４が接続されている。
【００４１】
回転検出スイッチ２９は、カメラ部２を正面に向けて回転させ撮影者自身とカメラ部２の撮像レンズ５とが対向する状態において、オンするように構成されており、この回転検出スイッチ２９がオンすると、コントロール回路２７において、液晶モニター部３の液晶表示板１０の走査方向を上下左右に反転させる制御信号が形成される。
【００４２】
また、回転検出スイッチ２９がオンした状態で以て、更に、操作釦２０の内の所定の一つの釦がオンされるか、若しくは、外部コントロール装置の所定の釦がオンされると、コントロール回路２７において、撮影者自身の撮影映像とメモリ装置１６に記憶された映像情報とを合成し、得られた合成画面を液晶モニター部３の液晶表示板１０において表示するように制御信号が形成されると共に、コントロール回路２７において、メモリ装置１６に記憶された音声情報により形成された音声信号が液晶モニター部３のスピーカ１８ａ，１８ｂにおいて再生されるように制御信号が形成される。それと同時に、撮影者自身の撮影映像とメモリ装置１６に記憶された映像情報との対応付けを行うための制御信号がコントロール回路２７において形成される。
【００４３】
カメラ部２の筐体面上に設けられた撮像レンズ５の近傍内部には、ＣＣＤ撮像素子５１（図８中ＣＣＤにて示す）が配設され、このＣＣＤ撮像素子５１により撮影することで得られるＲ，Ｇ，Ｂ出力がアンプ２１を介して映像信号処理回路２２に供給される。映像信号処理回路２２は、例えば、γ補正等の補正処理やレベル調整等の信号処理を行い、映像信号処理回路２２において、映像信号が形成される。この映像信号が映像信号録画／再生回路２３に供給される。
【００４４】
ＩＤ信号発生回路６２は、コントロール回路２７からの制御信号に基づいて撮影者自身の撮影映像とメモリ装置１６に記憶された映像情報との対応付けを行うためのＩＤ信号を形成し、この識別情報としてのＩＤ信号を映像信号録画／再生回路２３に供給する。
【００４５】
映像信号録画／再生回路２３において、各部の信号処理形態に対応するように必要に応じて信号変換処理が行われると共に、ＩＤ信号が映像信号のブランキング区間に付加され、映像信号録画／再生回路２３の出力が映像合成処理回路２５に供給される。また、映像信号録画／再生回路２３において、ＩＤ信号が付加された形の映像信号に基づいて例えばＹ（輝度）信号及びＣ（色）信号からなるコンポジットの映像信号が形成され、この映像信号がＩＤ信号検出回路６３に供給されると共に、ＶＴＲ部９に供給されて撮影映像として記録される。
【００４６】
ところで、メモリ装置１６には、予め被撮影者の興味を喚起する映像情報と音声情報が記憶されている。例えば、この第２の実施形態の場合においては、複数枚の画像からなるアニメーションによって構成される映像情報とそのアニメーションの動きに対応した音声情報とが記憶されている。メモリ装置１６は、図示せずもコントロール回路２７からの制御信号によってその記憶されている映像情報と音声情報を読み出し、その映像・音声データを映像／音声出力回路６６に供給する。映像／音声出力回路６６において映像信号と音声信号とが形成され、映像信号出力が映像合成回路２５に供給されると共に、音声信号出力がアンプ６７ａ，６７ｂを介して一対のスピーカ１８ａ，１８ｂの夫々に供給される。
【００４７】
映像合成回路２５は、コントロール回路２７からの制御信号に基づいて対面撮影が行われる時のみ映像信号録画／再生回路２３からの信号と映像／音声出力回路１７からの信号とを合成処理して合成映像信号を形成する。この映像合成処理回路２５において形成された合成映像信号が液晶ドライブ回路３０に供給されると共に、外部出力端子６８を介して取り出される。尚、対面撮影以外の場合には、合成処理がなされず、映像信号録画／再生回路２３からの映像信号がそのまま液晶ドライブ回路３０に供給されると共に、外部出力端子６８を介して取り出される。
【００４８】
液晶モニター部３の液晶表示板１０には、液晶ドライブ回路３０が接続されており、この液晶ドライブ回路３０には、映像信号録画／再生回路２３からの出力信号が供給される。従って、液晶モニター部３の液晶表示板１０には、対面撮影が行われる場合においてのみメモリ装置１６に記憶された映像情報により形成された画面が表示され、対面撮影以外の場合において、液晶表示板１０に被撮影者の撮影映像だけが表示される。
【００４９】
以下、この発明の第２の実施形態の使用方法と表示例等について図９、図４、図５、図６を用いて更に説明する。図９において１２で示されるのが撮影者であり、１４で示されるのが被写体となる被撮影者である。また、図９において７０で示されるのが、固定用の三脚である。三脚７０により映像撮影記録装置６１が固定され、例えば、外部コントロール装置６９により操作される。
【００５０】
図９に示すように被撮影者１４に液晶モニター部３の液晶表示板１０が向けられた状態で撮影者１２が液晶モニター部３の液晶表示板１０の表示画面１３を確認しながら、外部コントロール装置６９の所定の釦がオンされると、液晶モニター部３の液晶表示板１０にメモリ装置１６に記憶された被撮影者１４の興味を喚起する映像情報（図４、図５、図６等）が読み出されて、例えば、液晶表示板１０の画面の右半分に表示されると共に、撮像レンズ５が捉えている被撮影者１４の撮影映像が液晶表示板１０の画面の左半分に表示される。また、それと同時にメモリ装置１６に記憶された被撮影者１４の興味を喚起する音声情報が読み出されて、例えば、図４、図５、図６中において文字で表されている音声がその画面に対応した形でスピーカ１８ａ，１８ｂにより再生される。これら音声及び映像情報に対して反応する被撮影者１４の様子が撮影映像としてＶＴＲ部９において記録される。
【００５１】
尚、ＶＴＲ部９に記録された映像を再生する際には、ＩＤ信号検出回路６３の検出出力と操作釦の状態によって選択的に撮影時において組み合わされた合成映像信号が再生映像信号とメモリ装置１６に記憶された映像情報とにより再現されて外部出力端子６８を介して取り出されるか、若しくは、映像信号録画／再生回路２３からの再生映像信号がそのまま外部出力端子６８を介して取り出される。
【００５２】
以下、この発明の第３の実施形態について図１０及び図１１を用いて説明する。図１０は、液晶モニター付ディジタルカメラカメラにこの発明を適用した場合の第３の実施形態を示す。また、図１１は、この発明の第３の実施形態の内部回路の構成を示す。尚、図１〜図１１において対応する箇所及び同一の機能を有する部分には、同一の参照符号が付されている。
【００５３】
図１０において７１で示されるのが映像撮影記録装置の全体を示す。図１０及び図１１に示すように映像撮影記録装置７１は、ＣＣＤ撮像素子５１（図１１中ＣＣＤにて示す）を有したカメラ部２と固体メモリーカード等を有した記録機能を内蔵した液晶モニター部３とから成り、カメラ部２は、液晶モニター部３から回動自在に取り付けられており、撮影位置や角度に応じて最適な位置となるように回転され、自在に調整される。
【００５４】
カメラ部２を構成する筐体には、撮像レンズ５、フラッシュ７３及び操作スイッチ１１が配設される。液晶モニター部３は、箱型状の筐体により構成され、この筐体に小型の液晶表示板１０が取り付けられている。
【００５５】
例えば、図１０に示すようにカメラ部２を回転させて撮影者自身とカメラ部２の撮像レンズ５とを対向させた状態として対面撮影を行う場合には、後述するようにカメラ部２の回転方向が検出され、液晶モニター部３の液晶表示板１０には、液晶表示板１０の走査方向が上下左右に反転されて撮影者自身の鏡面像が表示される。また、対面撮影を行う場合の状態では、操作スイッチ１１は、操作し易いカメラ部２の上面側の位置となる。
【００５６】
また、液晶モニター部３の液晶表示板１０が取り付けられる側の筐体の周縁部には各種の複数の操作釦が配設されと共に、スピーカ１８が配設されている。また、液晶モニター部３の筐体の上端部には、シャッター７２が配設されている。尚、操作スイッチ１１は、対面撮影を行う場合において操作され、操作スイッチ１１がオンされると、後述するようにメモリ装置に予め記憶された映像情報と音声情報とが読み出され、各処理がなされる。
【００５７】
以下、この発明の第３の実施形態の内部の構成及び動作について図１１を用いて説明する。カメラ部２は、映像信号処理回路２２等により構成され、液晶モニター部３は、フラッシュメモリ部７４、エンコーダ／デコーダ７５、メモリ装置１６、映像／音声出力回路６６、映像信号処理回路２２、映像信号録画／再生回路２３、映像合成処理回路２５、液晶ドライブ回路３０、液晶表示板１０（図１１中ＬＣＤにて示す）、及び信号変換回路７６等により構成されている。
【００５８】
また、図１１において２７で示されるのがコントロール回路である。コントロール回路２７は、映像撮影記録装置７１の各部を集中監視して、各部の制御を行うもので、コントロール回路２７には、カメラ部２の回転検出スイッチ２９が接続されると共に、操作スイッチ１１が接続されている。
【００５９】
回転検出スイッチ２９は、カメラ部２を正面に向けて回転させ撮影者自身とカメラ部２の撮像レンズ５とが対向する状態において、オンする構成とされており、この回転検出スイッチ２９がオンすると、コントロール回路２７において、液晶モニター部３の液晶表示板１０の走査方向を上下左右に反転させる制御信号が形成される。
【００６０】
また、回転検出スイッチ２９がオンした状態で以て、更に、操作スイッチ１１がオンされると、コントロール回路２７において、撮影者自身の撮影映像とメモリ装置１６に記憶された映像情報とを合成し、得られた合成画面を液晶モニター部３の液晶表示板１０において表示するように制御信号が形成されると共に、コントロール回路２７において、メモリ装置１６に記憶された音声情報により形成された音声信号が液晶モニター部３のスピーカ１８において再生されるように制御信号が形成される。
【００６１】
カメラ部２の筐体面上に設けられた撮像レンズ５の近傍内部には、ＣＣＤ撮像素子５１（図１１中ＣＣＤにて示す）が配設され、このＣＣＤ撮像素子５１により撮影することで得られるＲ，Ｇ，Ｂ出力がアンプ２１を介して映像信号処理回路２２に供給される。映像信号処理回路２２は、例えば、γ補正等の補正処理やレベル調整等の信号処理を行い、映像信号処理回路２２において、映像信号が形成される。この映像信号がエンコーダ／デコーダ７５に供給される。
【００６２】
エンコーダ／デコーダ７５は、符号化／復号化を行う回路で、エンコーダ／デコーダ７５において映像信号処理回路２２からの映像信号が符号化され、符号化出力がフラッシュメモリ部７４に供給され、映像画像として記録されると共に、外部出力端子７７を介して取り出される。また、エンコーダ／デコーダ７５の符号化出力が信号変換回路７６に供給されて各部の信号処理形態に対応するように必要に応じて信号変換処理が行わる。信号変換回路７６の出力が映像合成処理回路２５に供給される。
【００６３】
ところで、メモリ装置１６には、予め被撮影者の興味を喚起する映像情報と音声情報が記憶されている。例えば、この第３の実施形態の場合においては、複数枚の画像からなるアニメーション等によって構成される映像情報とそのアニメーションの動きに対応した音声情報とが記憶されている。メモリ装置１６は、図示せずもコントロール回路２７からの制御信号によってその記憶されている映像情報と音声情報を読み出し、その映像・音声データを映像／音声出力回路６６に供給する。映像／音声出力回路６６において映像信号と音声信号とが形成され、映像信号出力が映像合成回路２５に供給されると共に、音声信号出力がアンプ６７を介してスピーカ１８に供給される。
【００６４】
映像合成回路２５は、コントロール回路２７からの制御信号に基づいて対面撮影が行われる時のみ信号変換回路７６からの信号と映像／音声出力回路６６からの信号とを合成処理して合成映像信号を形成する。この映像合成処理回路２５において形成された合成映像信号が液晶ドライブ回路３０に供給される。尚、対面撮影以外の場合には、合成処理がなされず、信号変換回路７６からの映像信号がそのまま液晶ドライブ回路３０に供給される。
【００６５】
液晶モニター部３の液晶表示板１０には、液晶ドライブ回路３０が接続されており、この液晶ドライブ回路３０には、信号変換回路７６からの出力信号が供給される。従って、液晶モニター部３の液晶表示板１０には、対面撮影が行われる場合においてのみメモリ装置１６に記憶された映像情報により形成された画面が表示され、対面撮影以外の場合において、液晶表示板１０に被撮影者の撮影映像だけが表示される。
【００６６】
例えば、撮影者自身に液晶モニター部３の液晶表示板１０が向けられた状態で撮影者が液晶モニター部３の液晶表示板１０の表示画面を確認しながら、操作スイッチ１１がオンされると、タイマーがオンされたことを示す文字が表示されると共に、スタート音が再生される。次にシャッター７２が押されると、図１０中における画面のように液晶モニター部３の液晶表示板１０に秒読みのカウント数字の表示がなされると共に、メモリ装置１６の映像情報が表示され、また、カウント音声がスピーカ１８より発せられ、フラッシュ７３が発光して静止画像の撮影がなされる。
【００６７】
尚、この発明の第１、第２、第３の実施形態においては、表示モニターとして液晶表示板を用いる構成について説明したが、他の表示素子を用いる構成としても良い。また、この発明の第１及び第２の実施形態においては、記録手段としてＶＴＲを用いる構成について説明し、また、第３の実施形態においては、記録手段としてフラッシュメモリを用いる構成について説明したが他のディスク状媒体を用いた記録手段を用いる構成としても良い。
【図面の簡単な説明】
【００６８】
【図１】この発明の第１の実施形態の全体斜視図である。
【図２】この発明の第１の実施形態の内部回路のブロック図である。
【図３】この発明の第１の実施形態の使用例を示す説明図である。
【図４】この発明の第１及び第２の実施形態における第１及び第２の表示例の説明図である。
【図５】この発明の第１及び第２の実施形態における第３の表示例の説明図である。
【図６】この発明の第１及び第２の実施形態における第４及び第５の表示例の説明図である。
【図７】この発明の第２の実施形態の全体斜視図である。
【図８】この発明の第２の実施形態の内部回路のブロック図である。
【図９】この発明の第２の実施形態の使用例を示す説明図である。
【図１０】この発明の第３の実施形態の全体斜視図である。
【図１１】この発明の第３の実施形態の内部回路のブロック図である。
【符号の説明】
【００６９】
１・・・映像撮影記録装置、２・・・カメラ部、３・・・液晶モニター部、４・・・ヒンジ機構、５・・・撮像レンズ、８・・・ビューファインダー、９・・・ＶＴＲ部、１０・・・液晶モニター部３の液晶表示板、１１・・・操作スイッチ、１６・・・メモリ装置、２２・・・映像信号処理回路、２３・・・映像信号録画／再生回路、２５・・・映像合成処理回路、２９・・・回転検出スイッチ
【図１】
2006121734.tif 000003
【図２】
2006121734.tif 000004
【図３】
2006121734.tif 000005
【図４】
2006121734.tif 000006
【図５】
2006121734.tif 000007
【図６】
2006121734.tif 000008
【図７】
2006121734.tif 000009
【図８】
2006121734.tif 000010
【図９】
2006121734.tif 000011
【図１０】
2006121734.tif 000012
【図１１】
2006121734.tif 000013